(57)【要約】【課題】回路構成を複雑にすることなく、温度検知回路を有さない素子の温度を広範囲に精度よく検出する。【解決手段】マイコン３が、リニアソレノイド１への通電がオフの際のモニタ電流値及びモニタ電圧値に基づいて、他の回路素子と比較して発熱量が大きい還流ダイオードＤ１の温度を判定するので、回路構成を複雑にすることなく、還流ダイオードＤ１の温度を広範囲に精度よく検出することができる。また、還流ダイオードＤ１自体の発熱や還流ダイオードＤ１の周辺に配置されたプリント基板上の回路（コントロールユニット全体）の発熱がどの程度であるかを監視できるので、温度が異常状態に推移していることを精度よく判定して、コントロールユニットを速やかにフェイルセーフ動作に移行させることができる。また、温度履歴を詳細に記憶することもできる。【選択図】図１
2006228796.tif 000002
【特許請求の範囲】
【請求項１】
リニアソレノイドへの通電のオン／オフを制御する通電制御手段と、
前記リニアソレノイドへの通電がオフの際に当該リニアソレノイドへの通電を継続させる通電継続手段と、
前記リニアソレノイドに流れる電流値を検出する電流検出手段と、
前記通電継続手段の電圧値を検出する電圧検出手段と、
前記リニアソレノイドへの通電がオフの際に前記電流検出手段及び前記電圧検出手段により検出された電流値及び電圧値に基づいて、前記通電継続手段の温度を判定する温度判定手段と
を備えることを特徴とするリニアソレノイド駆動回路。
【請求項２】
請求項１に記載のリニアソレノイド駆動回路であって、
前記温度判定手段は、予め記憶している前記電流値と前記電圧値の温度毎の関係を示すマップを参照して、前記通電継続手段の温度を判定することを特徴とするリニアソレノイド駆動回路。
【発明の詳細な説明】
【技術分野】
【０００１】
本発明は、リニアソレノイドを駆動制御するリニアソレノイド駆動回路に関し、より詳しくは、回路構成を複雑にすることなく、温度検知回路を有さない素子の温度を広範囲に精度よく検出するための技術に係わる。
【背景技術】
【０００２】
従来までのリニアソレノイド駆動回路では、温度検知回路を有さない素子の温度はリニアソレノイドを駆動するトランジスタ等のパワートデバイスが備える温度検知回路を利用して間接的に検知されていた（例えば、特許文献１を参照）。
【特許文献１】特開２０００−１１２５４１号公報
【発明の開示】
【発明が解決しようとする課題】
【０００３】
しかしながら、従来までのリニアソレノイド駆動回路では、温度検知回路を有さない素子の温度はパワーデバイスが備える温度検知回路を利用して間接的に検知する上に、検知可能な温度はパワーデバイスを強制的にオフにする温度のみであるために、温度検知回路を有さない素子の温度を広範囲に精度よく検出することができない。従って、従来までのリニアソレノイド駆動回路によれば、外気温度等の周辺環境の変化によって温度検知回路を有さない素子の発熱量が大きくなった場合、リニアソレノイドの駆動動作に熱の影響が出てしまうことがある。なお、このような問題を解決するために、温度センサを設ける方法も考えられるが、この方法を用いた場合には、リニアソレノイド駆動回路の構成が複雑になってしまう。
【０００４】
本発明は、上記課題を解決するためになされたものであり、その目的は、回路を構成を複雑にすることなく、温度検知回路を有さない素子の温度を広範囲に精度よく検出することが可能なリニアソレノイド駆動回路を提供することにある。
【課題を解決するための手段】
【０００５】
上記目的を達成するために、本発明に係るリニアソレノイド駆動回路は、リニアソレノイドへの通電のオン／オフを制御する通電制御手段と、リニアソレノイドへの通電がオフの際にリニアソレノイドへの通電を継続させる通電継続手段と、リニアソレノイドに流れる電流値を検出する電流検出手段と、通電継続手段の電圧値を検出する電圧検出手段と、リニアソレノイドへの通電がオフの際に電流検出手段及び電圧検出手段により検出された電流値及び電圧値に基づいて、通電継続手段の温度を判定する温度判定手段とを備える。そして、このような構成によれば、回路構成を複雑にすることなく、温度検知回路を有さない素子の温度を広範囲に精度よく検出することができる。なお、温度判定手段は、予め記憶している前記電流値と前記電圧値の温度毎の関係を示すマップを参照して、通電継続手段の温度を判定することが望ましい。
【発明を実施するための最良の形態】
【０００６】
以下、図面を参照して、本発明の実施形態となるリニアソレノイド駆動回路の構成について説明する。
【０００７】
本発明の実施形態となるリニアソレノイド駆動回路は、リニアソレノイド１を駆動制御するコントロールユニットを備え、このコントロールユニット２は、リニアソレノイド１を駆動するＩＣ２と、ＩＣ２を制御することによりリニアソレノイド１の電流値Ｉｓｏｌが目標電流値になるように電流値Ｉｓｏｌをフィードバック制御するマイコン３とを主な構成要素として備える。
【０００８】
上記ＩＣ２は、リニアソレノイド１に対し直列に接続された抵抗素子Ｒ１両端の電圧をモニタ電流値（Ｉｆモニタ）としてマイコン３に増幅出力する増幅器ＡＭＰ１と、マイコン３からの駆動信号に従ってバッテリ電源ＶＢを利用してリニアソレノイド１に電流を供給するトランジスタＴｒ１と、トランジスタＴｒ１の下流側に設けられた還流ダイオードＤ１両端の電圧Ｖｆをモニタ電圧値（Ｖｆモニタ）としてマイコン３に増幅出力する増幅器ＡＭＰ２とを備える。
【０００９】
なお、このリニアソレノイド駆動回路では、トランジスタＴｒ１がオン状態である場合、リニアソレノイド１に流れる電流Ｉｓｏｌはバッテリ電源ＶＢからトランジスタＴｒ１のドレイン端子及びソース端子，抵抗Ｒ１を経由して供給される。一方、トランジスタＴｒ１がオフ状態である場合には、リニアソレノイド１に流れる電流Ｉｓｏｌは、リニアソレノイド１のインダクタンス成分が蓄えたエネルギーを吸収する働きにより、接地準位ＧＮＤから還流ダイオードＤ１のアノード端子及びカソード端子，抵抗Ｒ１を経由して供給される。
【００１０】
〔温度検出処理〕
このような構成を有するリニアソレノイド駆動回路では、マイコン３が以下に示す温度検出処理を実行することにより、温度検知回路を有さない還流ダイオードＤ１の温度を広範囲に精度よく検出する。以下、図２を参照して、温度検出処理を実行する際のマイコン３の動作について説明する。
【００１１】
通常、増幅器ＡＭＰ１は、リニアソレノイド１の電流Ｉｓｏｌを検出するために利用されているが、トランジスタＴｒ１がオフ状態である時には、上述の通り、リニアソレノイド１の電流Ｉｓｏｌは還流ダイオードＤ１から供給される順方向電流Ｉｆと等価になる。従って、この温度検出処理では、マイコン３は、順方向電流ＩｆとトランジスタＴｒ１のドレイン−接地準位間の電圧（還流ダイオードＤ１の順方向電圧Ｖｆ）をそれぞれ増幅器ＡＭＰ１及び増幅器ＡＭＰ２を用いてモニタすることにより、還流ダイオードＤ１の順方向電流Ｉｆと順方向電圧Ｖｆを検知し、順方向電流Ｉｆ−順方向電圧Ｖｆ曲線の温度特性を利用して還流ダイオードＤ１の温度を測定する。
【００１２】
具体的には、マイコン３は、図２に示すように、トランジスタＴｒ１がオフ状態である（駆動信号がロー状態）であるタイミング（モニタタイミング）で、増幅器ＡＭＰ１，ＡＭＰ２から出力されるモニタ電流値及びモニタ電圧値をそれぞれ順方向電流Ｉｆ及び順方向電圧Ｖｆとして取り込む。そして、マイコン３は、予め記憶している順方向電流Ｉｆ−順方向電圧Ｖｆ曲線の温度特性マップ（図３参照）を参照して、増幅器ＡＭＰ１，ＡＭＰ２から出力される順方向電流Ｉｆと順方向電圧Ｖｆの特性に対応する温度を温度特性マップから抽出することにより、還流ダイオードＤ１の温度検出する。なお、順方向電流Ｉｆ−順方向電圧Ｖｆ曲線の温度特性は、実際に使用する還流ダイオードＤ１特有のモデルを使用するものとする。
【００１３】
以上の説明から明らかなように、本発明の実施形態となるリニアソレノイド駆動回路によれば、マイコン３が、リニアソレノイド１への通電がオフの際のモニタ電流値及びモニタ電圧値に基づいて、他の回路素子と比較して発熱量が大きい還流ダイオードＤ１の温度を判定するので、回路構成を複雑にすることなく、還流ダイオードＤ１の温度を広範囲に精度よく検出することができる。また、本発明の実施形態となるリニアソレノイド駆動回路によれば、還流ダイオードＤ１自体の発熱や還流ダイオードＤ１の周辺に配置されたプリント基板上の回路（コントロールユニット全体）の発熱がどの程度であるかを監視できるので、温度が異常状態に推移していることを精度よく判定して、コントロールユニットを速やかにフェイルセーフ動作に移行させることができる。また、温度履歴を詳細に記憶することもできる。
【００１４】
また、本発明の実施形態となるリニアソレノイド駆動回路によれば、マイコン３は、予め記憶されている順方向電流Ｉｆ−順方向電圧Ｖｆ曲線の温度特性マップを参照して、還流ダイオードＤ１の温度を判定するので、還流ダイオードＤ１の温度を広範囲に精度よく検出することができる。
【産業上の利用可能性】
【００１５】
本発明は、オートマチック・トランスミッションの油圧制御弁に用いられるソレノイドの駆動制御に適用することができる。
【図面の簡単な説明】
【００１６】
【図１】本発明の実施形態となるリニアソレノイド駆動回路の構成を示す回路図である。
【図２】本発明の実施形態となる温度検出処理の流れを示すタイミングチャート図である。
【図３】還流ダイオードの順方向電流−順方向電圧曲線の温度特性マップを示す図である。
【符号の説明】
【００１７】
１：リニアソレノイド
２：ＩＣ
３：マイコン
ＡＭＰ１，ＡＭＰ２：増幅器
Ｄ１：還流ダイオード
Ｔｒ１：トランジスタ
【図１】
2006228796.tif 000003
【図２】
2006228796.tif 000004
【図３】
2006228796.tif 000005